(57)【要約】【課題】  本発明は、パチンコ遊技機に対して、性能の良い台、あるいは性能の悪い台を無くし、標準化する遊技機障害釘間隔調整方法に関する。【解決手段】  選択された基準遊技基盤に植設された遊技機障害釘は、ＣＣＤカメラによって撮像されて画像データとして保存される。次に、被測定遊技基盤に植設された遊技機障害釘は、ＣＣＤカメラによって撮像され、画像データとして保存される。撮像された前記被測定遊技基盤の画像データと、前記保存された基準となる遊技基盤の画像データとは、重ね合わされることによって比較される。前記被測定遊技基盤に植設された遊技機障害釘間隔は、前記比較によって、前記基準となる遊技基盤とどの程度異なるかが判るため、同じように調整されることにより、標準化が行える。【選択図】  図１
2005204776.tif 000002
【特許請求の範囲】
【請求項１】
遊技機障害釘を遊技基盤面に備えている遊技機における遊技機障害釘調整方法において、
基準となる遊技基盤面に植設された遊技機障害釘の画像をＣＣＤカメラによって撮像し、
前記撮像された画像データを保存し、
次に、被測定遊技基盤に植設された遊技機障害釘の画像をＣＣＤカメラによって撮像し、
前記撮像された前記被測定遊技基盤の画像データと、前記保存された基準となる遊技基盤の画像データとを比較することによって、被測定遊技基盤に植設された遊技機障害釘間隔が前記基準となる遊技基盤に植設された遊技機障害釘と同じ位置に調整されることを特徴とする遊技機障害釘調整方法。
【請求項２】
遊技機障害釘を遊技基盤面に備えている遊技機における遊技機障害釘調整方法において、
基準となる遊技基盤面に植設された遊技機障害釘の画像データが配信され、
前記配信された基準となる画像データを保存し、
次に、被測定遊技基盤に植設された遊技機障害釘の画像をＣＣＤカメラによって撮像し、
前記撮像された前記被測定遊技基盤の画像データと、前記配信された基準となる画像データとを比較することによって、被測定遊技基盤に植設された遊技機障害釘間隔が前記基準となる遊技基盤に植設された遊技機障害釘と同じ位置に調整されることを特徴とする遊技機障害釘調整方法。
【請求項３】
前記基準となる遊技基盤は、性能の優れた遊技台であり、前記被測定遊技基盤は、前記遊技基盤と同じ機種の他の遊技台であることを特徴とする請求項１または請求項２に記載された遊技機障害釘調整方法。
【請求項４】
遊技機障害釘を遊技基盤面に備えている遊技機における遊技機障害釘調整方法において、
複数の遊技基盤を選択した後、これらを登録し、
前記登録された複数の遊技基盤の入賞状態を適切な時間注目し、パチンコホールの経営およびパチンコ遊技者にとって一番望ましい遊技基盤を基準となる遊技基盤として選択し、
前記基準となる遊技基盤に植設された遊技機障害釘の画像データがＣＣＤカメラによって撮像され、その画像データを保存し、
次に、被測定遊技基盤に植設された遊技機障害釘の画像をＣＣＤカメラによって撮像し、
前記撮像された前記被測定遊技基盤の画像データと、前記保存された基準となる遊技基盤の画像データとを比較することによって、被測定遊技基盤に植設された遊技機障害釘間隔が前記基準となる遊技基盤に植設された遊技機障害釘と同じ位置に調整されることを特徴とする遊技機障害釘調整方法。
【請求項５】
基準となる遊技基盤は、入賞率の平均を基にして選択されることを特徴とする請求項４に記載された遊技機障害釘調整方法。
【請求項６】
前記基準となる遊技基盤における画像データ、および前記基準となる遊技基盤における重要な遊技機障害釘の間隔データに基づいて、被測定遊技基盤に植設された遊技機障害釘間隔が調整されることを特徴とする請求項１から請求項５のいずれか１項に記載された遊技機障害釘調整方法。
【請求項７】
遊技機障害釘を遊技基盤面に備えている遊技機における遊技機障害釘調整装置において、
基準となる遊技基盤面に植設された遊技機障害釘の画像を撮像するＣＣＤカメラと、
前記基準となる遊技基盤における画像データを保存する基準遊技基盤データ保存手段と、
被測定遊技基盤の画像をＣＣＤカメラによって撮像した画像データを保存する被測定遊技基盤データ保存手段と、
前記基準遊技基盤データ保存手段と被測定遊技基盤データ保存手段とに保存された画像データを同時に表示するデータ比較表示手段と、
を少なくとも備えていることを特徴とする遊技機障害釘調整装置。
【請求項８】
遊技機障害釘を遊技基盤面に備えている遊技機における遊技機障害釘調整装置において、
基準となる遊技基盤面に植設された遊技機障害釘の画像データを受信する基準遊技基盤画像データ受信手段と、
前記受信した遊技機障害釘の画像データを保存する基準遊技基盤データ保存手段と、
被測定遊技基盤の画像をＣＣＤカメラによって撮像した画像データを保存する被測定遊技基盤データ保存手段と、
前記基準遊技基盤データ保存手段と被測定遊技基盤データ保存手段とに保存された画像データを同時に表示するデータ比較表示手段と、
を少なくとも備えていることを特徴とする遊技機障害釘調整装置。
【請求項９】
前記基準となる遊技基盤は、パチンコホールにおいて、遊技機障害釘整備図面を参考にして独自に作製された性能の優れた遊技台であり、前記被測定遊技基盤は、前記パチンコホールに納入された新遊技台であることを特徴とする請求項７または請求項８に記載された遊技機障害釘調整装置。
【請求項１０】
前記基準となる遊技基盤は、パチンコホールに予め設置されている中で最も性能の優れた遊技台であり、前記被測定遊技基盤は、前記パチンコホールに既に設置されている遊技台であることを特徴とする請求項７または請求項８に記載された遊技機障害釘調整装置。
【請求項１１】
前記基準となる遊技基盤は、パチンコホールにおいて、遊技機障害釘整備図面を参考にして独自に作製された性能の優れた遊技台であり、前記被測定遊技基盤は、前記パチンコホールに既に設置されている遊技台であることを特徴とする請求項７または請求項８に記載された遊技機障害釘調整装置。
【請求項１２】
前記基準となる遊技基盤は、パチンコホールに予め設置されている中で最も性能の優れた遊技台であり、前記被測定遊技基盤は、前記パチンコホールに納入される新遊技台であることを特徴とする請求項７または請求項８に記載された遊技機障害釘調整装置。
【請求項１３】
遊技機障害釘を遊技基盤面に備えている遊技機における遊技機障害釘調整装置において、
選択された複数の遊技基盤を登録する遊技基盤登録手段と、
前記登録された複数の遊技基盤の入賞状態を適切な時間注目して、性能を分析する遊技基盤データ分析手段と、
前記遊技基盤データ分析手段によって分析されたデータに基づいて、基準となる遊技基盤を選択する基準遊技基盤選択手段と、
前記選択された基準となる遊技基盤に植設された遊技機障害釘の画像データを撮像するＣＣＤカメラと、
前記ＣＣＤカメラによって撮像された基準遊技基盤の画像データを保存する基準遊技基盤画像データ保存手段と、
被測定遊技基盤の画像をＣＣＤカメラによって撮像し、その画像データを保存する被測定遊技基盤データ保存手段と、
前記被測定遊技基盤データ保存手段に保存された画像データと、前記保存された基準となる遊技基盤の画像データとを比較するデータ比較表示手段と、
を少なくとも備えていることを特徴とする遊技機障害釘調整装置。
【請求項１４】
前記データ比較表示手段に表示される画像は、基準となる遊技基盤面に植設された遊技機障害釘と被測定遊技基盤に植設された遊技機障害釘とが区別できるように表示されていることを特徴とする請求項７から請求項１３のいずれか１項に記載された遊技機障害釘調整装置。
【請求項１５】
前記重要な遊技機障害釘には、重要度に基づいてランク付けがされていることを特徴とする請求項７から請求項１５のいずれか１項に記載された遊技機障害釘調整装置。
【請求項１６】
前記データ比較表示手段は、パーソナルコンピュータの画面であり、前記保存手段は、パーソナルコンピュータの記憶手段であることを特徴とする請求項４から請求項１４のいずれか１項に記載された遊技機障害釘調整装置。
【請求項１７】
前記遊技基盤とＣＣＤカメラとの距離は、レーザー光により測定されていることを特徴とする請求項７から請求項１６のいずれか１項に記載された遊技機障害釘調整装置。
【請求項１８】
前記ＣＣＤカメラを載置する三脚は、遊技基盤との距離を一定にする伸縮自在な棒部材を備えていることを特徴とする請求項７から請求項１７のいずれか１項に記載された遊技機障害釘調整装置。
【請求項１９】
前記三脚の下部には、ロック装置付きのキャスターが取り付けられていることを特徴とする請求項７から請求項１８のいずれか１項に記載された遊技機障害釘調整装置。
【請求項２０】
前記被測定遊技基盤には、前記レーザー光を反射する反射板が取り付けられていることを特徴とする請求項７から請求項１９のいずれか１項に記載された遊技機障害釘調整装置。
【請求項２１】
前記レーザー光による距離測定手段は、前記ＣＣＤカメラを載置した三脚の一部に設けられているとともに、前記レーザー光が前記被測定遊技基盤に設けられた反射板により反射した後、所定の位置に照射されることを特徴とする請求項７から請求項２０のいずれか１項に記載された遊技機障害釘調整装置。
【請求項２２】
前記三脚は、ＣＣＤカメラおよびレーザー距離測定部が載置されている載置台を下部に収納できるように、一端で回動自在に取り付けられていることを特徴とする請求項７または請求項２１に記載された遊技機障害釘調整装置。
【請求項２３】
前記三脚は、パーソナルコンピュータを載置するテーブルを下部に収納できるように、一端で回動自在に取り付けられていることを特徴とする請求項７から請求項２２のいずれか１項に記載された遊技機障害釘調整装置。
【請求項２４】
前記レーザー光は、レーザーポインターから発射されることを特徴とする請求項７から請求項２３のいずれか１項に記載された遊技機障害釘調整装置。
【発明の詳細な説明】
【技術分野】
【０００１】
本発明は、遊技基盤面に植設された遊技機障害釘を有する遊技機の遊技機障害釘間隔を測定する遊技機障害釘調整方法および遊技機障害釘調整装置に関するものである。本発明は、特に、パチンコ遊技機等における遊技機障害釘の調整に際し、前記遊技機障害釘の標準化を図り、効率のよい遊技機障害釘の調整と、前記遊技機障害釘の調整による出玉コントロールを容易にしようとするものである。本明細書において、「遊技機障害釘間隔」なる文言は、遊技機障害釘の相対的な位置関係も含む広い意味に使用されている。また、「間隔」なる文言は、１本の遊技機障害釘の位置を調整する場合であっても、必ず他の遊技機障害釘との相対的な間隔が変わっているため、広い意味で使用されている。すなわち、本明細書における遊技機障害釘間隔は、１対の遊技機障害釘の間ではない場合も含まれている。
【背景技術】
【０００２】
遊技機用の遊技機障害釘は、基盤面に数百本植設されており、１０本から２０本程度のパチンコ球が入賞するか否かを決定するいわゆる命釘、パチンコ球の通り道を決定する道釘、パチンコ球をジャンプさせて方向を転換させるジャンプ釘等からなる。
【０００３】
前記命釘、道釘、ジャンプ釘となる遊技機障害釘は、遊技基盤面に対して、複雑な傾斜角度となるように曲げられて、パチンコホールとパチンコ遊技者との利益の調和が図られている。しかし、遊技機障害釘は、特殊な能力を持つ釘師の勘により、１００分の１ｍｍ程度の単位で調整が行われていた。前記釘師は、一人前になるのに、１０年から２０年以上かかるといわれている。
【０００４】
前記釘師は、前記遊技機障害釘の頭を左右前後方向（３６０度）に打つことにより、遊技基盤面に対する遊技機障害釘の方向と傾斜角度（財団法人保安電子通信技術協会では、「何時方向に何度」という表現を行っている。）が異なるように曲げて、パチンコ球の通過を難しくしたり、あるいは通過を容易にするように調整している。
【０００５】
前記遊技機障害釘の間隔は、遊技機障害釘の頭部を打ち、遊技基盤面に対する方向と傾斜角度を何時方向に何度というように変えることにより、遊技基盤面から高さ方向の中間部（５．５ｍｍの高さ）の内法寸法において、パチンコ球の直径部分（最厚部）が通過する通過率に変化を持たせる必要がある。
【０００６】
遊技機障害釘間隔を調整する者は、たとえば、多数植設された遊技機障害釘の中の１対の命釘（通常２本であるが、１本の場合もある）に注目し、この遊技機障害釘に対して、接触ゲージ（測定装置の先端部）を当接して、前記遊技機障害釘間隔（内法寸法）をアナログ的に測定する。しかし、前記測定者は、多数複雑な方向と傾斜角度で植設された遊技機障害釘の中で、前記測定装置をいくら上手に扱っても、正確に測定することができなかった。
【０００７】
すなわち、２本の遊技機障害釘間隔は、測定者の触感（測定者が手に持った接触ゲージを遊技機障害釘の内法に手さぐりで当てる際の感覚）次第で寸法が異なってしまう。また、遊技基盤面の上には、遊技機障害釘以外に、複数個の入賞装置（役もの）、風車、ランプ等が存在しており、これらが邪魔になるため、２本の遊技機障害釘の所定の高さ（遊技基盤面上から５．５ｍｍの高さ）における間隔を正しく測定することが困難であった。
【０００８】
前記遊技機障害釘間隔の測定装置は、たとえば、実開平３−３３３０２号公報に記載されているようなパチンコボール型の分割球が付いているもので、所定の高さ方向の間隔をアナログ的に測定するものがあった。図９は従来例における遊技機障害釘間隔を測定する測定装置を説明するための図である。図１０は従来例における遊技機障害釘と測定ピンとの関係を説明するための図で、遊技基盤の垂直方向から見た図である。
【０００９】
図９において、遊技機障害釘間隔測定装置９０は、遊技機障害釘間隔をアナログ的に表示するゲージ体９５と、前記ゲージ体９５に設けられ、互いに反対方向に押し合っている測定杆９３、９４と、前記それぞれの測定杆９３、９４の先端部に設けられた測定ピン９６、９７を備えた分割球９１、９２とから構成されている。
【００１０】
また、前記測定ピン９６、９７は、前記分割球９１、９２の中心からずれる位置で、測定する際に、遊技機障害釘の中心になるように設けられている。以下、前記分割球９１、９２、および測定ピン９６、９７を単に接触ゲージと記載する。また、前記接触ゲージを使用した遊技機障害釘間隔の測定装置は、たとえば、特開平６−９８９７５号公報に記載されているようにディジタルデータとして測定できるものもある。
【００１１】
前記測定ピン９６、９７は、その下部が遊技機障害釘９１２、９１２′の上に接触することで、ゲージ体９５（図１０参照）に遊技機障害釘９１２、９１２′の間隔がアナログ的に表示される。
【００１２】
【特許文献１】実開平３−３３３０２号公報
【特許文献２】特開平６−９８９７５号公報
【発明の開示】
【発明が解決しようとする課題】
【００１３】
前記遊技機障害釘を有する遊技機は、前述のように、前記遊技機障害釘の内法に前記接触ゲージを接触させることにより、前記遊技機障害釘間隔を測定することができる。前記遊技機障害釘間隔測定装置の接触ゲージは、遊技基盤面に対してほぼ垂直方向（ピッチング）、水平方向（ヨーイング）および左右回転方向（ローリング）の３次元について気を付けて、前記遊技機障害釘の間に正確に当てる必要がある。  
【００１４】
前記接触ゲージは、前記垂直方向、水平方向、および左右回転方向のずれに対して気を付けながら、通常、手さぐり（触診）で、正しいと思われる位置を確かめた後、測定データを入力している。前記接触ゲージは、前記のように、比較的正しい位置に配置するために時間がかかるという問題があった。特に、熟練の浅い測定者は、測定データの不正確さ、および測定時間が長くかかるという問題があった。
【００１５】
近年、パチンコホールは、大型化して、一店舗当たりのパチンコ遊技機の設置台数が多くなる傾向にある。このような状態において、測定者の未熟さや測定時間が長い等は、パチンコホールの経営に影響を与えるようになってきた。
【００１６】
そこで、パチンコホールの経営者は、パチンコ遊技基盤において、入賞に大きく係わる遊技機障害釘間隔のみを測定することで、前記問題を解決しようと試みた。しかし、遊技機障害釘は、遊技基盤の木目や木質、これらの反り具合等、あるいは釘打機等によって、予め決められた位置から０．１ｍｍないし２ｍｍ程度狂う場合がある。
【００１７】
前記入賞に大きく係わる遊技機障害釘は、数が多くなると、調整に時間がかかるだけでなく、パチンコホールの経営者およびパチンコ遊技者の両方に良いパチンコ遊技台とすることが困難であった。
【００１８】
すなわち、前記遊技機障害釘の調整者は、遊技機障害釘の位置によって、前記経営者とパチンコ遊技者の両方にとって望ましい入賞率にすることが困難であった。前記両者に望ましいパチンコ遊技機とすることは、それぞれの遊技基盤における遊技機障害釘をいろいろと変えてみるといった試行錯誤を繰り返し、経験的に見出す以外方法がなかった。
【００１９】
しかし、パチンコ遊技機は、パチンコ遊技者に飽きられないように、数カ月で交換を行う必要がある。このように早い交換サイクルは、前記両者にとって、良い台であるか否かの見分けが付かないうちに、パチンコ遊技機の入れ換えを行うことになってしまうという問題があった。
【００２０】
以上のような課題を解決するために、本発明は、パチンコ遊技機に対して、性能の良い台、あるいは性能の悪い台を無くし、標準化することで、パチンコ経営者とパチンコ遊技者の両方にとって望ましい入賞率となる遊技機障害釘調整方法および遊技機障害釘調整装置を提供することを目的とする。
【００２１】
本発明は、パチンコ遊技機における遊技機障害釘間隔を標準化することで、最低の数の遊技機障害釘のみを調整するだけで済む遊技機障害釘調整方法および遊技機障害釘調整装置を提供することを目的とする。
【００２２】
本発明は、経験的または設計上入賞率が判る遊技機障害釘間隔に合わせることで、出玉コントロールを容易に行うことができる遊技機障害釘調整方法および遊技機障害釘調整装置を提供することを目的とする。
【００２３】
本発明は、遊技機障害釘間隔の調整において、予め重要度を決めておくことにより、遊技機障害釘間隔の調整精度をそれぞれに合わせることで、遊技機障害釘間隔の調整時間を短縮することができる遊技機障害釘調整方法および遊技機障害釘調整装置を提供することを目的とする。
【課題を解決するための手段】
【００２４】
（第１発明）
第１発明の遊技機障害釘調整方法は、遊技機障害釘を遊技基盤面に備えている遊技機において、基準となる遊技基盤に植設された遊技機障害釘の画像をＣＣＤカメラによって撮像し、前記撮像された画像データを保存し、次に、被測定遊技基盤に植設された遊技機障害釘の画像をＣＣＤカメラによって撮像し、前記撮像された前記被測定遊技基盤の画像データと、前記保存された基準となる遊技基盤の画像データとを比較することによって、被測定遊技基盤に植設された遊技機障害釘間隔が前記基準となる遊技基盤に植設された遊技機障害釘と同じ位置に調整されることを特徴とする。
【００２５】
（第２発明）
第２発明の遊技機障害釘調整方法は、遊技機障害釘を遊技基盤面に備えている遊技機において、基準となる遊技基盤に植設された遊技機障害釘の画像データが配信され、前記配信された基準となる画像データを保存し、次に、被測定遊技基盤に植設された遊技機障害釘の画像をＣＣＤカメラによって撮像し、前記撮像された前記被測定遊技基盤の画像データと、前記保存された基準となる遊技基盤の画像データとを比較することによって、被測定遊技基盤に植設された遊技機障害釘間隔が前記基準となる遊技基盤に植設された遊技機障害釘と同じ位置に調整されることを特徴とする。
【００２６】
（第３発明）
第３発明の遊技機障害釘調整方法は、基準となる遊技基盤が性能の優れた遊技台であり、被測定遊技基盤が前記遊技基盤と同じ機種の他の遊技台であることを特徴とする。
【００２７】
（第４発明）
第４発明の遊技機障害釘調整方法は、遊技機障害釘を遊技基盤面に備えている遊技機において、複数の遊技基盤を選択した後、これらを登録し、前記登録された複数の遊技基盤の入賞状態を適切な時間注目し、パチンコホールの経営およびパチンコ遊技者にとって一番望ましい遊技基盤を基準となる遊技基盤として選択し、前記基準となる遊技基盤に植設された遊技機障害釘の画像データがＣＣＤカメラによって撮像され、その画像データを保存し、次に、被測定遊技基盤に植設された遊技機障害釘の画像をＣＣＤカメラによって撮像し、前記撮像された前記被測定遊技基盤の画像データと、前記保存された基準となる遊技基盤の画像データとを比較することによって、被測定遊技基盤に植設された遊技機障害釘間隔が前記基準となる遊技基盤に植設された遊技機障害釘と同じ位置に調整されることを特徴とする。
【００２８】
（第５発明）
第５発明の遊技機障害釘調整方法は、基準となる遊技基盤が入賞率の平均を基にして選択されることを特徴とする。
【００２９】
（第６発明）
第６発明の遊技機障害釘調整方法は、基準となる遊技基盤における画像データ、および前記基準となる遊技基盤における重要な遊技機障害釘の間隔データに基づいて、被測定遊技基盤に植設された遊技機障害釘間隔が調整されることを特徴とする。
【００３０】
（第７発明）
第７発明の遊技機障害釘調整装置は、遊技機障害釘を遊技基盤面に備えている遊技機において、基準となる遊技基盤面に植設された遊技機障害釘の画像を撮像するＣＣＤカメラと、前記基準となる遊技基盤における画像データを保存する基準遊技基盤データ保存手段と、被測定遊技基盤の画像をＣＣＤカメラによって撮像した画像データを保存する被測定遊技基盤データ保存手段と、前記基準遊技基盤データ保存手段と被測定遊技基盤データ保存手段とに保存された画像データを同時に表示するデータ比較表示手段と、を少なくとも備えていることを特徴とする。
【００３１】
（第８発明）
第８発明の遊技機障害釘調整装置は、遊技機障害釘を遊技基盤面に備えている遊技機において、基準となる遊技基盤面に植設された遊技機障害釘の画像データを受信する基準遊技基盤画像データ受信手段と、前記受信した遊技機障害釘の画像データを保存する基準遊技基盤データ保存手段と、被測定遊技基盤の画像を前記ＣＣＤカメラによって撮像した画像データを保存する被測定遊技基盤データ保存手段と、前記基準遊技基盤データ保存手段と被測定遊技基盤データ保存手段とに保存された画像データを同時に表示するデータ比較表示手段と、を少なくとも備えていることを特徴とする。
【００３２】
（第９発明）
第９発明の遊技機障害釘調整装置は、基準となる遊技基盤がパチンコホールにおいて、遊技機障害釘整備図面を参考にして独自に作製された性能の優れた遊技台であり、被測定遊技基盤が前記パチンコホールに納入された新遊技台であることを特徴とする。
【００３３】
（第１０発明）
第１０発明の遊技機障害釘調整装置は、基準となる遊技基盤がパチンコホールに予め設置されている中で最も性能の優れた遊技台であり、被測定遊技基盤が前記パチンコホールに既に設置されている遊技台であることを特徴とする。
【００３４】
（第１１発明）
第１１発明の遊技機障害釘調整装置は、基準となる遊技基盤がパチンコホールにおいて、遊技機障害釘整備図面を参考にして独自に作製された性能の優れた遊技台であり、被測定遊技基盤が前記パチンコホールに既に設置されている遊技台であることを特徴とする。
【００３５】
（第１２発明）
第１２発明の遊技機障害釘調整装置は、基準となる遊技基盤がパチンコホールに予め設置されている中で最も性能の優れた遊技台であり、被測定遊技基盤が前記パチンコホールに納入される新遊技台であることを特徴とする。
【００３６】
（第１３発明）
第１３発明の遊技機障害釘調整装置は、遊技機障害釘を遊技基盤面に備えている遊技機において、選択された複数の遊技基盤を登録する遊技基盤登録手段と、前記登録された複数の遊技基盤の入賞状態を適切な時間注目して、性能を分析する遊技基盤データ分析手段と、前記遊技基盤データ分析手段によって分析されたデータに基づいて、基準となる遊技基盤を選択する基準遊技基盤選択手段と、前記選択された基準となる遊技基盤に植設された遊技機障害釘の画像データを撮像するＣＣＤカメラと、ＣＣＤカメラによって撮像された基準遊技基盤の画像データを保存する基準遊技基盤画像データ保存手段と、被測定遊技基盤の画像をＣＣＤカメラによって撮像し、その画像データを保存する被測定遊技基盤データ保存手段と、前記被測定遊技基盤データ保存手段に保存された画像データと、前記保存された基準となる遊技基盤の画像データとを比較するデータ比較表示手段と、を少なくとも備えていることを特徴とする。
【００３７】
（第１４発明）
第１４発明の遊技機障害釘調整装置は、データ比較表示手段に表示される画像が基準となる遊技基盤面に植設された遊技機障害釘と被測定遊技基盤に植設された遊技機障害釘とを区別できるように表示することを特徴とする。
【００３８】
（第１５発明）
第１５発明の遊技機障害釘調整装置は、重要な遊技機障害釘に重要度に基づいてランク付けがされていることを特徴とする。
【００３９】
（第１６発明）
第１６発明の遊技機障害釘調整装置は、データ比較表示手段がパーソナルコンピュータの画面であり、前記保存手段がパーソナルコンピュータの記憶手段であることを特徴とする。
【００４０】
（第１７発明）
第１７発明の遊技機障害釘調整装置は、遊技基盤とＣＣＤカメラとの距離がレーザー光により測定されていることを特徴とする。
【００４１】
（第１８発明）
第１８の遊技機障害釘調整装置は、ＣＣＤカメラを載置する三脚が遊技基盤との距離を一定にする伸縮自在な棒部材を備えていることを特徴とする。
【００４２】
（第１９発明）
第１９発明の遊技機障害釘調整装置は、三脚の下部にロック装置付きのキャスターが取り付けられていることを特徴とする。
【００４３】
（第２０発明）
第２０発明の遊技機障害釘調整装置は、被測定遊技基盤にレーザー光を反射する反射板が取り付けられていることを特徴とする。
【００４４】
（第２１発明）
第２１発明の遊技機障害釘調整装置は、レーザー光による距離測定手段がＣＣＤカメラを載置した三脚の一部に設けられているとともに、前記レーザー光が前記被測定遊技基盤に設けられた反射板により反射した後、所定の位置に照射されることを特徴とする。
【００４５】
（第２２発明）
第２２発明の遊技機障害釘調整装置は、三脚において、ＣＣＤカメラおよびレーザー距離測定部が載置されている載置台を下部に収納できるように、一端で回動自在に取り付けられていることを特徴とする。
【００４６】
（第２３発明）
第２３発明の遊技機障害釘調整装置は、三脚において、パーソナルコンピュータを載置するテーブルを下部に収納できるように、一端で回動自在に取り付けられていることを特徴とする。
【００４７】
（第２４発明）
第２４発明の遊技機障害釘調整装置は、レーザー光がレーザーポインターから発射されることを特徴とする。
【発明の効果】
【００４８】
本発明によれば、パチンコ遊技機に対して、性能の良い台、あるいは性能の悪い台を無くし、標準化することで、パチンコ経営者とパチンコ遊技者の両方にとって望ましい遊技機障害釘間隔を調整することができる。
【００４９】
本発明によれば、パチンコ遊技機における遊技機障害釘間隔を標準化することで、最低の数の遊技機障害釘のみを調整するだけで済み、効率の良い遊技機障害釘間隔を調整することができる。
【００５０】
本発明によれば、被測定遊技基盤における遊技機障害釘間隔を経験的または設計上入賞率が判る遊技機障害釘間隔に合わせることで、出玉コントロールを容易に行うことができ、パチンコ経営者とパチンコ遊技者の調和を図ることが容易である。
【００５１】
本発明によれば、遊技機障害釘間隔に予め重要度を決めておくことにより、遊技機障害釘間隔の調整精度をそれぞれに合わせることで、遊技機障害釘間隔の調整時間を短縮することができる。
【００５２】
本発明によれば、被測定遊技基盤に植設されている遊技機障害釘の間隔を基準となる遊技基盤に植設されている遊技機障害釘の間隔と同じ位置に調整するための作業が容易にできるようなＣＣＤカメラ載置用三脚等に工夫を凝らした。すなわち、前記三脚は、ＣＣＤカメラと遊技基盤との距離を図るレーザー距離測定器、あるいはパーソナルコンピュータを載置するテーブル等を設けるとともに、前記テーブルやＣＣＤカメラ載置台を回動自在にして持ち運び易くしている。
【００５３】
本発明によれば、前記三脚は、ロック装置付きキャスターを設けることにより、次の遊技基盤における遊技機障害釘の間隔を調整する際の作業が容易にできるようにしている。  
【発明を実施するための最良の形態】
【００５４】
（第１発明）
第１発明の遊技機障害釘調整方法は、遊技基盤に植設されている遊技機障害釘の間隔を標準化することにより、最低数の重要な遊技機障害釘のみを効率的に調整して、パチンコホールの経営およびパチンコ遊技者の両者にとって利益のあるものとすることができる。予め、前記両者にとって利益のある性能が良い遊技基盤は、試打あるいは経験（実績）に基づいて、基準遊技基盤として選択される。
【００５５】
前記選択された基準遊技基盤に植設された遊技機障害釘は、ＣＣＤカメラによって撮像されて画像データとして保存される。次に、被測定遊技基盤に植設された遊技機障害釘は、ＣＣＤカメラによって撮像され、画像データとして保存される。撮像された前記被測定遊技基盤の画像データと、前記保存された基準となる遊技基盤の画像データとは、たとえば、重ね合わされることによって比較される。ＣＣＤカメラは、基準遊技基盤と被測定遊技基盤を撮像するものが同じ場合または異なる場合がある。
【００５６】
前記被測定遊技基盤に植設された遊技機障害釘間隔は、前記比較によって、前記基準となる遊技基盤とどの程度異なるかが判るため、同じように調整されることにより、全ての遊技基盤を同じようにして標準化が行える。前記標準化された遊技基盤は、少数の遊技機障害釘間隔を調整するだけで、パチンコホール経営者にとって都合が良いだけでなく、パチンコ遊技者にとっても、健全な娯楽となるようにすることが容易である。
【００５７】
（第２発明）
第２発明の遊技機障害釘調整方法は、基準となる遊技基盤に植設された遊技機障害釘の画像データがパチンコメーカーまたは販売店からパチンコホールに対して配信される点で、第１発明と異なっている。すなわち、前記配信された基準となる画像データは、ＣＣＤカメラによって撮像された被測定遊技基盤の画像データと比較することによって、被測定遊技基盤に植設された遊技機障害釘間隔が前記基準となる遊技基盤に植設された遊技機障害釘と同じ位置になるように調整される。
【００５８】
第１発明は、パチンコホールにおいて、基準となる遊技基盤を試打または経験等により選択できる者がいる場合であり、第２発明は、パチンコホールで基準となる遊技基盤を選択することができる者がいないか、あるいは遊技基盤のメーカー等から基準となる画像データ等を得ることができる場合である。いずれの場合であっても、パチンコホールの遊技基盤は、簡単に標準化ができるので、遊技機障害釘間隔の調整が効率的に行うことができる。
【００５９】
（第３発明）
第３発明において、基準となる遊技基盤は、パチンコホールの経営およびパチンコ遊技者の両者にとって利益の調和が図れるような性能の優れた遊技台（両者にとって適正な遊技台）であればある程、標準化を行うことにより、遊技機障害釘の調整が効率良く簡単に行える。また、被測定遊技基盤は、基準となる遊技基盤と同じ機種の他の遊技台である必要がある。
【００６０】
（第４発明）
第４発明の遊技機障害釘調整方法は、パチンコホールにおいて、性能の良い遊技基盤を見つけようとする方法が第１発明および第２発明と異なっている。第４発明の遊技機障害釘調整方法は、先ず、任意の複数の遊技基盤を選択するとともにこれらを登録しておく。
【００６１】
前記登録された複数の遊技基盤は、適切な時間、たとえば、数日間の入賞状態が注目される。前記複数の遊技基盤は、前記入賞状態が分析され、その結果、パチンコホールの経営およびパチンコ遊技者にとって一番良いと思われるデータのものが一つ選択され、基準となる遊技基盤になる。
【００６２】
その後、前記基準となる遊技基盤の画像データと被測定遊技基盤の画像データとの比較は、第１発明および第２発明と同じである。前記入賞状態の分析は、売り上げ高、出玉等を参考にすることができ、これらを基にして自動的に決定することができる。なお、第４発明は、予め任意の複数の遊技基盤を選択し、これらの画像データを登録しておき、基準となる遊技基盤を前記登録された画像データから選択して、保存されている基準遊技基盤に選択されなかった前記画像データを破棄することも可能である。
【００６３】
（第５発明）
第５発明の遊技機障害釘調整方法は、基準となる遊技基盤を選択するデータとして、入賞率の平均を基にしている。すなわち、基準となる遊技基盤は、入賞率の平均を基にして、パチンコホールの経営者およびパチンコ遊技者の両者にとって、都合の良い値の遊技台であることが望ましい。
【００６４】
その他の遊技基盤は、前記基準となる遊技基盤に遊技機障害釘間隔を合わせておき、その時々により、重要な遊技機障害釘のみをパチンコホールにとって有利にしたり、パチンコ遊技者にとって有利にしたりすることが容易にできる。
【００６５】
（第６発明）
第１発明ないし第５発明の遊技機障害釘調整方法は、基準となる遊技基盤の遊技機障害釘間隔を画像データのみによって調整していた。第６発明の遊技機障害釘調整方法は、基準となる遊技基盤における画像データ、および前記基準となる遊技基盤における重要な遊技機障害釘の間隔データが保存されている。
【００６６】
被測定遊技基盤に植設された遊技機障害釘間隔は、前記保存された基準となる遊技基盤の前記画像データと遊技機障害釘の間隔データに基づいているため、精度の高い調整が可能であり、優れた標準化が可能である。
【００６７】
（第７発明）
第７発明の遊技機障害釘調整装置は、標準化された遊技基盤を得ることを容易にするものである。前記遊技基盤に植設されている遊技機障害釘の間隔を標準化することにより、重要な遊技機障害釘のみを効率的に調整して、パチンコホールの経営およびパチンコ遊技者の両者にとって利益のあるものとすることができる。
【００６８】
ＣＣＤカメラは、実績または試打により性能の優れた遊技基盤を基準となる遊技基盤として、その遊技基盤面に植設された遊技機障害釘の画像を撮像する。前記基準となる遊技基盤における画像データは、基準遊技基盤データ保存手段に保存される。
【００６９】
同様に、被測定遊技基盤に植設された遊技機障害釘は、ＣＣＤカメラによって撮像され、画像データとして、被測定遊技基盤データ保存手段に保存される。データ比較表示手段は、前記基準遊技基盤データ保存手段と被測定遊技基盤データ保存手段とに保存された画像データを同時に表示するとともに、比較し、遊技機障害釘間隔のずれをなくすように修正する。
【００７０】
このように、第７発明の遊技機障害釘調整装置は、データ比較表示手段に同時に表示された基準となる遊技機障害釘と被測定遊技機障害釘との間隔を目でみながら修正できるため、効率的に重要な遊技機障害釘間隔を設けることができる。
【００７１】
（第８発明）
第８発明の遊技機障害釘調整装置は、パチンコメーカーまたは販売店等から配信される、基準となる遊技基盤面に植設された遊技機障害釘の画像データを受信する基準遊技基盤画像データ受信手段を有する点で、第７発明と異なっている。前記基準遊技基盤画像データ受信手段により受信した遊技機障害釘の画像データは、基準遊技基盤データ保存手段に保存され、その後の第７発明と同じである。
【００７２】
基準となる遊技基盤と被測定遊技基盤との関係は、第９発明から第１２発明の４種類がある。
【００７３】
（第９発明）
第９発明の基準となる遊技基盤は、パチンコホールにおいて、パチンコメーカー等が作製する遊技機障害釘整備図面を参考にして独自に作製された性能の優れた遊技台である。また、被測定遊技基盤は、前記パチンコホールに納入された新遊技台であり、これらの遊技機障害釘間隔を標準化するために、前記基準となる遊技基盤に植設された遊技機障害釘の間隔と同じ位置に合わせる。
【００７４】
（第１０発明）
第１０発明の基準となる遊技基盤は、パチンコホールに予め設置されている中で、最も性能が優れているであろうと思われる遊技台が選択される。また、被測定遊技基盤は、前記パチンコホールに既に設置されている遊技台であり、これらの遊技機障害釘間隔を標準化するために、前記基準となる遊技基盤に植設された遊技機障害釘の間隔と同じ位置に合わせる。
【００７５】
（第１１発明）
第１１発明の基準となる遊技基盤は、第９発明と同じ、パチンコホールにおいて、遊技機障害釘整備図面を参考にして独自に作製された性能の優れた遊技台である。また、被測定遊技基盤は、第１０発明と同様に、前記パチンコホールに既に設置されている遊技台であり、これらの遊技機障害釘間隔を標準化するために、前記基準となる遊技基盤に植設された遊技機障害釘の間隔と同じ位置に合わせる。
【００７６】
（第１２発明）
第１２発明の基準となる遊技基盤は、第１０発明と同様に、パチンコホールに予め設置されている中で最も性能の優れた遊技台であり、被測定遊技基盤は、第９発明と同様に、前記パチンコホールに納入される新遊技台であり、これらの遊技機障害釘間隔を標準化するために、前記基準となる遊技基盤に植設された遊技機障害釘の間隔と同じ位置に合わせる。
【００７７】
（第１３発明）
第１３発明の遊技機障害釘調整装置は、既にパチンコホール内に設置されている遊技基盤の中から基準となる遊技基盤を探し出すという点で、第７発明および第８発明と異なっている。任意に選択された複数の遊技基盤は、遊技基盤登録手段にそれぞれ登録される。前記登録された複数の遊技基盤は、適切な時間入賞状態が注目される。
【００７８】
遊技基盤データ分析手段は、前記登録された複数の遊技基盤における入賞状態を分析する。基準遊技基盤選択手段は、前記遊技基盤データ分析手段によって分析されたデータ比較表示手段におけるデータに基づいて、基準となる遊技基盤を選択する。その後の画像データの保存およびデータの比較は、第７発明および第８発明と同じである。
【００７９】
（第１４発明）
第１４発明の遊技機障害釘調整装置は、基準となる遊技基盤面に植設された遊技機障害釘と被測定遊技基盤に植設された遊技機障害釘とが区別されて、データ比較表示手段に表示される。たとえば、基準となる遊技基盤における遊技機障害釘は、赤丸で表示され、被測定遊技機障害釘は、釘の頭部が重ねられて表示される。
【００８０】
パチンコホールにおいて、遊技機障害釘の管理者は、前記基準となる遊技基盤の遊技機障害釘の赤丸に対して、被測定遊技機障害釘の頭部がどの程度ずれているかを見て、遊技機障害釘の頭を叩き同じ位置にする。また、前記遊技機障害釘間隔の調整は、遊技台が標準化されているため、同じ機種であれば、自動機により調整することができる。
【００８１】
（第１５発明）
第１５発明の遊技機障害釘調整装置は、重要な遊技機障害釘が重要度に基づいてランク付けがされている。重要度１の遊技機障害釘は、命釘のように入賞率を決定するのに大きな影響を与える。そこで、画像データに基づいた目視だけでは精度が上がらないため、前記重要度１の遊技機障害釘は、画像データと実測された遊技機障害釘間隔の両方によって、遊技機障害釘の頭部を丁寧に叩き１００分の１ｍｍ単位で調整される。その他の遊技機障害釘は、画像データを見ながら基準となる遊技基盤の遊技機障害釘と同じ位置に調整する。
【００８２】
（第１６発明）
第１６発明の遊技機障害釘調整装置は、パーソナルコンピュータによって処理が行われる。パーソナルコンピュータは、基準となる遊技基盤に植設された遊技機障害釘と、被測定遊技基盤に植設された遊技機障害釘との画像データがデータ比較表示手段として、重ねて同時に表示される。また、前記各画像データは、前記パーソナルコンピュータの記憶手段に保存される。前記遊技機障害釘間隔の管理は、パーソナルコンピュータにより行えるため、持ち運びやその他のデータ管理とともに行うことができる。
【００８３】
（第１７発明）
第１７発明の遊技機障害釘調整装置は、遊技基盤とＣＣＤカメラとの距離をレーザー光により測定し、両者の距離が常に一定となるようにする。
【００８４】
（第１８発明）
第１８発明の遊技機障害釘調整装置は、遊技基盤とＣＣＤカメラとの距離を一定にするために、前記ＣＣＤカメラを載置する三脚と遊技基盤との間に伸縮自在な棒部材を当てる。前記伸縮自在な棒部材は、前記三脚と遊技基盤との距離をほぼ一定にした後、前記第１７発明のレーザー光により、さらに、精密な距離にする。
【００８５】
（第１９発明）
第１９発明の遊技機障害釘調整装置は、三脚の下部にロック装置付きのキャスターが取り付けられているため、他の遊技基盤に移動する際に、前記ロック装置を外すだけで、迅速な移動が可能であり、かつ、ＣＣＤカメラの撮像に際し安定して固定ができる。
【００８６】
（第２０発明）
第２０発明の遊技機障害釘調整装置は、遊技基盤側にレーザー光を反射する反射板が取り付けられており、ＣＣＤカメラ側の所定位置に前記レーザー光が戻るようにして、正確な距離の測定を行っている。
【００８７】
（第２１発明）
第２１発明の遊技機障害釘調整装置は、レーザー光による距離測定手段を有している。前記距離測定手段は、前記ＣＣＤカメラを載置した三脚の一部に設けられているとともに、前記ＣＣＤカメラ側から発射された前記レーザー光が前記遊技基盤側に設けられた反射板により反射した後、所定の位置に照射されることにより行っている。
【００８８】
（第２２発明）
第２２発明の遊技機障害釘調整装置は、ＣＣＤカメラおよびレーザー距離測定部が載置されている載置台を三脚の下部に収納できるように、一端が回動自在にして取り付けられている。前記ＣＣＤカメラは、フラッシュの反射板等を有するため、この部分が折り畳めるようにすることで、持ち運びに便利である。
【００８９】
（第２３発明）
第２３発明の遊技機障害釘調整装置は、三脚にパーソナルコンピュータを載置するテーブルが設けられている。前記テーブルは、三脚の下部に収納できるように、一端で回動自在に取り付けられている。また、前記三脚は、遊技機障害釘調整装置とともに、パーソナルコンピュータを載置したままで、次の被測定遊技基盤の位置に移動させることができるだけでなく、測定を行わない場合、コンパクトにすることができる。
【００９０】
（第２４発明）
第２４発明の遊技機障害釘調整装置は、遊技基盤との距離の測定にレーザー光が使用され、既製品として販売されているレーザーポインターを利用することができる。
【実施例１】
【００９１】
図１は本発明の第１実施例である遊技機障害釘調整装置を説明するためのブロック構成図である。図１において、遊技機障害釘調整装置は、標準化を行うための基準となる基準遊技基盤１１と、遊技機障害釘の画像を得るためのＣＣＤカメラ１２と、前記基準遊技基盤１１の画像データを保存する基準遊技基盤データ保存手段１３と、前記基準遊技基盤１１の遊技機障害釘間隔を測定する遊技機障害釘間隔測定手段１４と、これから標準化しようとする被測定遊技基盤１５と、前記被測定遊技基盤１５の画像データを保存する被測定遊技基盤データ保存手段１６と、前記基準遊技基盤データ保存手段１３における画像データと、前記被測定遊技基盤データ保存手段における画像データとを比較するデータ比較表示手段１７と、被測定遊技基盤１５の遊技機障害釘を所定の位置に移動できる被測定遊技基盤移動手段１８と、遊技機障害釘を変更する遊技機障害釘変更手段１９とから構成されている。
【００９２】
図２は本発明の第１実施例である遊技機障害釘調整装置の動作を説明するためのフローチャートである。図１および図２において、たとえば、パチンコホールにおける経営者およびパチンコ遊技者の両者にとって調和が図れるような遊技基盤が基準遊技基盤１１として用意される（ステップ２１１）。たとえば、パチンコホールにおける経験者は、パチンコ遊技機の試打や出玉率または入賞率等の実績により前記両者にとって調和が図れるような性能の優れた遊技台を基準遊技基盤１１として選択することができる。
【００９３】
前記基準遊技基盤１１は、ＣＣＤカメラ１２により、遊技機障害釘の画像が撮像される（ステップ２１２）。また、必要に応じて、重要な箇所にある遊技機障害釘は、遊技機障害釘間隔測定手段１４により、遊技機障害釘間隔が測定される。そして、前記測定された遊技機障害釘間隔は、前記撮像された画像データとともに使用される（ステップ２１３）。
【００９４】
前記撮像された画像データ等は、基準遊技基盤データ保存手段１３に保存される（ステップ２１４）。次に、被測定遊技基盤１５は、前記ＣＣＤカメラ１２によって、基準遊技基盤１１と同様に、遊技機障害釘の画像が撮像される（ステップ２１５）。
【００９５】
前記基準遊技基盤１１と前記被測定遊技基盤１５とにかかる遊技機障害釘の画像データ等は、データ比較表示手段１７、たとえば、図示されていないパーソナルコンピュータの液晶表示装置に表示される（ステップ２１６）。前記データ比較表示手段１７は、前記基準遊技基盤１１と前記被測定遊技基盤１５との遊技機障害釘にかかる画像データ等が重ねられて表示され、基準遊技基盤１１と被測定遊技基盤１５における遊技機障害釘のずれを容易に比較できる（ステップ２１７）。
【００９６】
前記基準遊技基盤１１と被測定遊技基盤１５における遊技機障害釘は、たとえば、異なる色等により、調整の際に見易く表示される。また、前記表示は、重要度をランク付けするための色分けを行うことができる。
【００９７】
前記データ比較表示手段１７において、重ねられた画像データは、重要な遊技機障害釘が閾値を超えてずれているか否かを調べる（ステップ２１８）。前記閾値に対する判断は、調整者の目による場合と、画像データからのずれを数値的に判断する場合の両方がある。
【００９８】
前記調整者または制御装置（図示されていない）は、前記重要箇所の遊技機障害釘のずれが、前記閾値以内に入っていない（閾値を超えている）と判断した場合、被測定遊技基盤１５をデータ比較表示手段１７と同じ側になるように被測定遊技基盤移動手段１８によって移動させる（ステップ２１９）。この状態で、前記調整者または制御装置は、たとえば、遊技機障害釘間隔を正確に測定し（ステップ２２０）、所望の遊技機障害釘間隔に変更する（ステップ２２１）。
【００９９】
前記ステップ２１８において、前記調整者または制御装置は、前記重要箇所の遊技機障害釘のずれが、前記閾値以内に入っている（閾値を超えていない）と判断した場合、前記被測定遊技基盤１５を遊技機とする（ステップ２２２）。被測定遊技基盤データ保存手段１６は、調整の終了した被測定遊技基盤１５におけるパチンコ台番号、遊技機障害釘番号、遊技機障害釘間隔等のデータが画像とともに保存される（ステップ２２３）。前記調整者または制御装置は、前記パチンコ台番号等を保存した後、次の遊技基盤があるか否かを調べる（ステップ２２４）。
【０１００】
前記調整者または制御装置は、被測定遊技基盤１５がないと判断した場合、測定を終了し（ステップ２２５）、被測定遊技基盤１５があると判断した場合、ステップ２１５に戻り、前記のように遊技機障害釘の画像をスキャニングする。前記調整者または制御手段は、次に、被測定遊技基盤１５があるか否かを調べ（ステップ２２４）、被測定遊技基盤１５がないと判断した場合、測定を終了し（ステップ２２５）、被測定遊技基盤１５があると判断した場合、ステップ２１５に戻り、前記のように遊技機障害釘の画像を撮像する。
【０１０１】
以上のように、被測定遊技基盤１５における重要な遊技機障害釘間隔は、基準遊技基盤１１における遊技機障害釘と同じ間隔になる。すなわち、被測定遊技基盤１５は、全てが基準遊技基盤１１と同じ性能のものとなり、標準化されることになる。
【０１０２】
前記のように標準化が行われた遊技基盤は、経営者が出玉率あるいは入賞率を容易にコントロールすることができるため、パチンコホールの儲け過ぎ、パチンコ遊技者の極端な負けを少なくすることができる。
【０１０３】
基準遊技基盤１１は、パチンコホールに設置されているものの中で、性能の良い（出玉または入賞率をほぼ正確にコントロールできる）と思われる遊技基盤、あるいは、メーカー等が作製した遊技機障害釘整備図面を参考にして作製された遊技台である。また、被測定遊技基盤１５は、パチンコホールに既に設置されているもの、あるいは、新しく搬入された遊技基盤である場合がある。
【０１０４】
遊技機障害釘間隔には、命釘、道釘、ジャンプ釘等があり、前記出玉や入賞率をコントロールするのに重要である順位を付けておき、重要度の１位のものは、画像データと遊技機障害釘間隔の測定を行ったり、あるいは画像データのみにより調整を行ったりすることができる。
【実施例２】
【０１０５】
図３は本発明の第２実施例である遊技機障害釘調整装置を説明するためのブロック構成図である。図３において、第２実施例は、パチンコメーカー、パチンコ遊技機販売代理店、チェン店における本店または本部から基準となる遊技基盤の画像データが配信される点で、第１実施例と異なっている。
【０１０６】
前記配信された基準となる遊技基盤の画像データは、パチンコホールにある基準遊技基盤画像データ受信手段３１によって受信され、その後、基準遊技基盤画像データ保存手段３２に保存される。被測定遊技基盤３３から遊技機障害釘変更手段３８までは、図１における被測定遊技基盤１５から遊技機障害釘変更手段１９までと同じである。また、第２実施例は、フローチャートについても基準遊技基盤画像データが配信される点以外、図２と同じであるため省略されている。
【実施例３】
【０１０７】
図４は本発明の第３実施例である遊技機障害釘調整装置を説明するためのブロック構成図である。図４において、第３実施例は、パチンコホールにおける遊技基盤１・・・遊技基盤ｎ（４１１・・・４１１ｎ）の中から前記性能の優れた基準遊技基盤を見つけ出そうという考えである。
【０１０８】
第３実施例における遊技機障害釘調整装置は、前記パチンコホールに設置された多数の遊技基盤１（４１１）・・・遊技基盤ｎ（４１１ｎ）の中から複数個の遊技基盤を登録する遊技基盤登録手段４１２と、前記登録された遊技基盤４１１から遊技基盤４１１ｎについての出玉または入賞率等を分析する遊技基盤データ分析手段４１３と、前記遊技基盤データ分析手段４１３によって分析した結果、基準遊技基盤を選択する基準遊技基盤選択手段４１４と、第１実施例または第２実施例と同じ構成である符号４１５から４２２によって構成されている。
【０１０９】
図５は本発明の第３実施例である遊技機障害釘調整装置の動作を説明するためのフローチャートである。図４および図５において、たとえば、パチンコホールにおける複数の遊技基盤４１１・・・を選択する（ステップ５１１）。次に、前記複数の遊技基盤４１１・・・は、適切な時間、たとえば、少なくとも数日間入賞状態が注目される（ステップ５１２）。
【０１１０】
前記複数の遊技基盤４１１・・・は、遊技基盤データ分析手段４１３によって、たとえば、出玉または入賞率等に着目し、パチンコホール経営者またはパチンコ遊技者の両者にとって都合よくコントロールできるか否か等を見る（ステップ５１３）。基準となる遊技基盤は、前記複数の遊技基盤４１１・・・の中から基準遊技基盤選択手段４１４によって選択される（ステップ５１４）。前記基準となる遊技基盤は、出玉または入賞率が安定し、遊技機障害釘間隔のコントロールにより、変化を付け易いものが選択される。
【０１１１】
前記選択された一つの基準遊技基盤は、遊技基盤登録手段４１２に登録される（ステップ５１５）。前記遊技基盤登録手段４１２に登録された基準遊技基盤は、ＣＣＤカメラ４１５により撮像され、その後、第１実施例または第２実施例と同じである（ステップ５１６からステップ５２８）。
【実施例４】
【０１１２】
図６は本発明の遊技機障害釘調整装置の一部である三脚を説明するための斜視図である。図７は図６に示す三脚における雲台等を収納した状態を説明するための図である。図８は図７における三脚と遊技台との距離を測定する際の原理を説明するための図である。図６ないし図８において、三脚６１は、３本の柱部材から構成された下部三脚６２と、前記下部三脚６２に高さを調整できるように取り付けられた上部取付台６３と、前記上部取付台６３に固定された雲台６４と、前記下部三脚６２に取り付けられた側部取付台６５とから少なくとも構成されている。
【０１１３】
前記下部三脚６２は、下部にロック装置付きのキャスター６２１が取り付けられている。また、前記側部取付台６５には、測定する遊技基盤との距離を一定にする長さ調整部６５３を備えた棒部材６５１が取付部６５２に取り付けられている。
【０１１４】
前記下部三脚６２の上部には、高さ調整部６３３により高さを調整できる上部取付台６３が取り付けられている。前記上部取付台６３には、図示されていないＣＣＤカメラを取り付ける雲台載置台６３１と、回動自在に取り付けられたパーソナルコンピュータ載置台６３２とが取り付けられている。前記雲台載置台６３１には、図示されていないＣＣＤカメラを固定する雲台６４およびフラッシュ用反射板６４１が取り付けられている。  
【０１１５】
図７において、前記雲台６４および反射板６４１と、パーソナルコンピュータ載置台６３２は、鎖線のように三脚６１の下部に収納できるようになっている。また、雲台載置台６３１の上には、レーザー光６６１を発射するポインター６６と、前記ポインター６６から発射されたレーザー光６６１を受ける受光板６７が設けられている。
【０１１６】
前記ポインター６６から発射されたレーザー光６６１は、図８に示されるように、遊技台６９のガラス板６９１に取り付けられた反射板６８によって反射された後、受光板６７における受光部６７１に受光される。前記遊技台６９のガラス板６９１は、通常、約１度上方に傾斜させている。そのため、前記レーザー光６６１は、前記ポインター６６の下部に設けられた受光部６７１を照射するようになっている。
【０１１７】
前記ポインター６６から発射されたレーザー光６６１は、前記受光部６７１に照射されない場合、前記三脚６１の位置と遊技台６９の距離が正確でないことが判る。前記レーザー光６６１は、所定の受光部６７１に照射されるように前記三脚６１と前記遊技台６９の位置を変えることにより、正しい距離にすることができる。
【０１１８】
前記三脚６１と遊技台６９との距離が正しく配置された後、前記ＣＣＤカメラは、基準遊技基盤１１および被測定遊技基盤１５における遊技機障害釘の画像を撮像する。
【０１１９】
その後、被測定遊技基盤１５は、図２に示されたフローチャートに従って画像データが前記データ比較表示手段１７に入力される。調整者は、前記パーソナルコンピュータの表示装置に表示された画像データを見ながら遊技機障害釘の位置を調整させる。なお、遊技機障害釘間隔の調整は、遊技機障害釘変更手段１９によって自動的に変更させることもできる。
【産業上の利用可能性】
【０１２０】
以上、本発明の実施例を詳述したが、本発明は、前記実施例に限定されるものではない。そして、本発明は、特許請求の範囲に記載された事項を逸脱することがなければ、種々の設計変更を行うことが可能である。
【０１２１】
本発明のブロック構成図は、周知または公知の技術によって達成されるものであり、本発明の主旨を変えることがなければ任意に変えることができる。本発明の三脚は、本発明の主旨を変えることがなければ枠の組立方や回動部の構造を任意に変更することができる。距離の測定は、レーザーに限らず他の手段に代えることも可能である。
【図面の簡単な説明】
【０１２２】
【図１】本発明の第１実施例である遊技機障害釘調整装置を説明するためのブロック構成図である。（実施例１）
【図２】本発明の第１実施例である遊技機障害釘調整装置の動作を説明するためのフローチャートである。
【図３】本発明の第２実施例である遊技機障害釘調整装置を説明するためのブロック構成図である。（実施例２）
【図４】本発明の第３実施例である遊技機障害釘調整装置を説明するためのブロック構成図である。（実施例３）
【図５】本発明の第３実施例である遊技機障害釘調整装置の動作を説明するためのフローチャートである。
【図６】本発明の遊技機障害釘調整装置の一部である三脚を説明するための斜視図である。（実施例４）
【図７】図６に示す三脚における雲台等を収納した状態を説明するための図である。
【図８】図７における三脚と遊技台との距離を測定する際の原理を説明するための図である。
【図９】従来例における遊技機障害釘間隔を測定する測定装置を説明するための図である。
【図１０】従来例における遊技機障害釘と測定ピンとの関係を説明するための図で、遊技基盤の垂直方向から見た図である。
【符号の説明】
【０１２３】
１１・・・基準遊技基盤
１２・・・ＣＣＤカメラ
１３・・・基準遊技基盤データ保存手段
１４・・・遊技機障害釘間隔測定手段
１５・・・被測定遊技基盤
１６・・・被測定遊技基盤データ保存手段
１７・・・データ比較表示手段
１８・・・被測定遊技基盤移動手段
１９・・・遊技機障害釘変更手段
３１・・・基準遊技基盤画像データ受信手段
４１１・・・遊技基盤
４１２・・・遊技基盤登録手段
４１３・・・遊技基盤データ分析手段
４１４・・・基準遊技基盤選択手段
６１・・・三脚
６２・・・下部三脚
６２１・・・ロック装置付きキャスター
６３・・・上部取付台
６３１・・・雲台載置台
６３２・・・パーソナルコンピュータ載置台
６３３・・・高さ調整部
６４・・・雲台
６４１・・・フラッシュ用反射板
６５・・・側部取付台
６５１・・・棒部材
６５２・・・棒部材取付部
６５３・・・長さ調整部
６６・・・ポインター
６６１・・・レーザー光
６７・・・受光板
６７１・・・受光部
６８・・・反射板
６９・・・遊技台
６９１・・・ガラス板
【図１】
2005204776.tif 000003
【図２】
2005204776.tif 000004
【図３】
2005204776.tif 000005
【図４】
2005204776.tif 000006
【図５】
2005204776.tif 000007
【図６】
2005204776.tif 000008
【図７】
2005204776.tif 000009
【図８】
2005204776.tif 000010
【図９】
2005204776.tif 000011
【図１０】
2005204776.tif 000012